(57)【要約】【課題】本発明は、イメージ情報を捜すシステム及びその方法を提供することを目的とする。【解決手段】本発明に係るイメージ情報を捜す方法は、広告又は映画の中の各々の検索対象のキーワードを定義し、且つ各々の検索対象が出現する時間をタグ付けするステップと、前記表示装置に前記広告又は前記映画を表示するステップと、各々の検索対象の出現時間に基づいて、前記表示装置のスクリーンに各々の検索対象のキーワードを表示するステップと、１つの前記検索対象のキーワードを選択する操作を受信するステップと、ブラウザーを起動して、選択された前記検索対象のキーワードをサーチエンジンにロードして検索するステップと、前記表示装置に検索結果を表示するステップと、を備える。本発明は、イメージ情報を捜すシステムも提供する。【選択図】図３
2012038306.tif 000002
【特許請求の範囲】
【請求項１】
表示装置に接続された電子装置の中で実施されるイメージ情報を捜す方法であって、
広告又は映画の中の各々の検索対象のキーワードを定義し、且つ各々の検索対象が出現する時間をタグ付けするステップと、
前記表示装置に前記広告又は前記映画を表示するステップと、
各々の検索対象の出現時間に基づいて、前記表示装置のスクリーンに各々の検索対象のキーワードを表示するステップと、
１つの前記検索対象のキーワードを選択する操作を受信するステップと、
ブラウザーを起動して、選択された前記検索対象のキーワードをサーチエンジンにロードして検索するステップと、
前記表示装置に検索結果を表示するステップと、
を備えることを特徴とするイメージ情報を捜す方法。
【請求項２】
前記表示装置に前記広告又は前記映画を表示する前に、各々の検索対象の出現時間及びキーワードを前記電子装置の作業システムに記憶するか、もしくは前記広告又は前記映画の画像ファイル又は動画ファイルに記憶することを特徴とする請求項１に記載のイメージ情報を捜す方法。
【請求項３】
前記出現時間は、前記検索対象が前記広告又は前記映画に出現する開示時間及び終了時間を備えることを特徴とする請求項１に記載のイメージ情報を捜す方法。
【請求項４】
前記広告は、動画広告及びプレイスメント広告を備えることを特徴とする請求項１に記載のイメージ情報を捜す方法。
【請求項５】
表示装置に接続された電子装置の中で実施するイメージ情報を捜すシステムであって、
広告又は映画の中の各々の検索対象のキーワードを定義し、且つ各々の検索対象が出現する時間をタグ付けする定義モジュールと、
前記表示装置が前記広告又は前記映画を表示する際、各々の検索対象の出現時間に基づいて、前記表示装置のスクリーンに各々の検索対象のキーワードを表示し、且つ１つの前記検索対象のキーワードを選択する際、検索結果を表示する表示モジュールと、
１つの前記検索対象のキーワードを選択する操作を受信する受信モジュールと、
ブラウザーを起動して、選択された前記検索対象のキーワードをサーチエンジンにロードして検索する検索モジュールと、
を備えることを特徴とするイメージ情報を捜すシステム。
【請求項６】
各々の検索対象の出現時間及びキーワードを前記電子装置の作業システムに記憶するか、もしくは前記広告又は前記映画の画像ファイル又は動画ファイルに記憶する記憶モジュールをさらに備えることを特徴とする請求項５に記載のイメージ情報を捜すシステム。
【請求項７】
前記出現時間は、前記検索対象が前記広告又は前記映画に出現する開示時間及び終了時間を備えることを特徴とする請求項５に記載のイメージ情報を捜すシステム。
【請求項８】
前記広告は、動画広告及びプレイスメント広告を備えることを特徴とする請求項５に記載のイメージ情報を捜すシステム。
【発明の詳細な説明】
【技術分野】
【０００１】
本発明は、広告方法に関するものであり、特にイメージ情報を探すシステム及びその方法に関するものである。
【背景技術】
【０００２】
現在、プロダクトプレイスメント（Ｐｒｏｄｕｃｔ  Ｐｌａｃｅｍｅｎｔ）は、広告手法の一つとして、映画やテレビドラマの劇中に広く応用されており、役者に特定の商品を絡ませて、商品の価値を再び解釈して、商品のイメージを高める。
【発明の概要】
【発明が解決しようとする課題】
【０００３】
しかし、従来のプロダクトプレイスメントは、以下の欠点がある。第一に、商品情報が欠乏している。観衆はテレビドラマや映画のストーリーから商品情報を獲得することができなく、例えば、観衆がドラマの主役の身に着けている服について非常に興味を持っているが、この服の情報を調べることができないため、通常テレビドラマが終わってから、スポンサーの情報を調べることが必要となり、このような非効率な方式により潜在する消費者を失う。第二に、ブランドの可視度が高くない。現実において、あらゆる商品が全て車のように明らかな商標を有するわけではなく、例えば、携帯電話、ハイヒール又は観光地は映画の中ではかならずしも明らかな商標があるわけではなく、もしシーンにおいてこれらの商品の商標を強調過ぎると、かえって観衆の反感をもたらす。第三に、現在のプロダクトプレイスメントは製品の入手方法を獲得し難い。消費者はショッピングしたくても、どこで必要とする商品を買うかを知らないので、長い時間捜し求めなければならなく、従って成功的なマーケティングが行えても便利な商品獲得入手方法がないので取引することができない。
【０００４】
本発明の目的は、前記課題を解決し、従来のプロダクトプレイスメントにおける、商品情報が欠乏し、ブランドの可視度が高くなく、製品の入手方法を獲得し難いなどの欠点を克服することができるイメージ情報を探すシステム及びその方法を提供することである。
【課題を解決するための手段】
【０００５】
本発明に係るイメージ情報を探すシステムは、表示装置に接続された電子装置の中で実施し、広告又は映画の中の各々の検索対象のキーワードを定義し、且つ各々の検索対象が出現する時間をタグ付けする定義モジュールと、前記表示装置が前記広告又は前記映画を表示する際、各々の検索対象の出現時間に基づいて、前記表示装置のスクリーンに各々の検索対象のキーワードを表示し、且つ１つの前記検索対象のキーワードを選択する際、検索結果を表示する表示モジュールと、１つの前記検索対象のキーワードを選択する操作を受信する受信モジュールと、ブラウザーを起動して、選択された前記検索対象のキーワードをサーチエンジンにロードして検索する検索モジュールと、を備える。
【０００６】
本発明に係るイメージ情報を探す方法は、表示装置に接続された電子装置の中で実施し、広告又は映画の中の各々の検索対象のキーワードを定義し、且つ各々の検索対象が出現する時間をタグ付けするステップと、前記表示装置に前記広告又は前記映画を表示するステップと、各々の検索対象の出現時間に基づいて、前記表示装置のスクリーンに各々の検索対象のキーワードを表示するステップと、１つの前記検索対象のキーワードを選択する操作を受信するステップと、ブラウザーを起動して、選択された前記検索対象のキーワードをサーチエンジンにロードして検索するステップと、前記表示装置に検索結果を表示するステップと、を備える。
【発明の効果】
【０００７】
従来の技術に比べて、本発明のイメージ情報を探すシステム及びその方法は、広告又は映画の中の商品（検索対象である）に対してキーワードを定義して、観衆が前記商品又はそのキーワードを選択すると、前記キーワードは使用者が予め設定したサーチエンジンにロードされて、ネットワークから前記商品に関するあらゆるホームページを検索することができ、従来のプロダクトプレイスメントにおける、商品情報が欠乏し、ブランドの可視度が高くなく、製品の入手方法を獲得し難いなどの欠点を克服することができる。
【図面の簡単な説明】
【０００８】
【図１】本発明の実施形態に係るイメージ情報を探すシステムの実施環境を示す図である。
【図２】図１に示すイメージ情報を探すシステムの機能ブロック図である。
【図３】本発明の実施形態に係るイメージ情報を探す方法のフローチャートである。
【発明を実施するための形態】
【０００９】
以下、図面を参照して、本発明の実施形態について説明する。
【００１０】
図１は、本発明の実施形態に係るイメージ情報を探すシステムの実施環境を示す図である。前記イメージ情報を探すシステム１０は、電子装置１の中で実施される。前記電子装置１は、携帯電話、ノートパソコン、ＰＤＡ、卓上型コンピューター、テレビジョンなどであることができ、ストレージシステム２０及びプロセッサー３０を備える。前記電子装置１は、表示装置２を内蔵するか又は外部の表示装置２に接続する。
【００１１】
本実施形態において、前記イメージ情報を捜すシステム１０は、ソフトウェアプログラム又は実行形式で前記ストレージシステム２０にインストールされる。他の実施形態において、前記ストレージシステム２０は、前記電子装置１に接続される外部のメモリーであることができる。
【００１２】
前記プロセッサー３０は、前記イメージ情報を捜すシステム１０のコードを実行し、即ち広告又は映画の中の各々の商品のイメージを検索対象として、各々の検索対象のキーワードを定義し、且つ各々の検索対象が出現する際、前記表示装置２のスクリーン（例えば、スクリーンの上方、下方などである）に各々の検索対象のキーワードを表示し、観衆４が前記表示装置２に表示される検索対象又はそのキーワードを選択すると、ブラウザーを起動して、選択された前記検索対象のキーワードを使用者３が予め設定したサーチエンジンにロードしてネットワーク５から検索する。前記使用者３は、広告運営業者、ソフトウェア開発者であることができる。
【００１３】
前記表示装置２は、広告又は映画を表示するために用いられ、且つ選択された検索対象の検索結果を表示する。例えば、検索した前記キーワードに関するあらゆるホームページ又はホームページのリンクアドレスを前記表示装置２に表示する。前記広告は、動画広告及びプレイスメント広告を備える。本実施形態において、前記広告はプレイスメント広告である。
【００１４】
本実施形態において、前記表示装置２は、タッチスクリーンを有し、前記観衆４は、手又はタッチペンなどで前記広告の中の検索対象をタッチすることができる。他の実施形態において、前記電子装置１がテレビジョンである場合、前記観衆４は、リモコンで前記電子装置１を操作することができ、前記電子装置１が携帯電話、ノートパソコン、卓上型コンピューターなどである場合、前記観衆４は、マウス又はキーボードによって前記表示装置２に表示される検索対象をクリックなどすることで選択できる。
【００１５】
図２は、図１に示すイメージ情報を捜すシステムの機能ブロック図である。前記イメージ情報を捜すシステム１０は、定義モジュール１００と、記憶モジュール１０２と、受信モジュール１０４と、検索モジュール１０６と、表示モジュール１０８と、を備える。
【００１６】
図３は、本発明の実施形態に係るイメージ情報を捜す方法のフローチャートである。
【００１７】
ステップＳ１において、前記定義モジュール１００は、広告又は映画の中の各々の検索対象のキーワードを定義し、且つ各々の検索対象が出現する時間をタグ付けし、前記記憶モジュール１０２は、各々の検索対象の出現時間、各々の検索対象及びそのキーワードを前記電子装置１の作業システムに記憶するか、もしくは前記広告又は映画の画像ファイル又は動画ファイルに記憶し、例えば、ＡＶ放送ソフトウェアに記憶する。各々の検索対象は、１つの商品に対応する。
【００１８】
前記出現時間は、検索対象が広告又は映画に出現する開示時間及び終了時間を備える。各々の検索対象のキーワードは、使用者３が自分で定義することができる。例えば、広告運営業者は、前記定義モジュール１００を利用して、広告又は映画の中の車のキーワードを「Ｖｏｌｖｏ  Ｃ３０」に定義し、この車が出現する時間は０１：１２〜０６：２２である。「Ｖｏｌｖｏ」は、前記車のブランドであり、「Ｃ３０」は、前記車の型番である。前記記憶モジュール１０２は、前記車のキーワード「Ｖｏｌｖｏ  Ｃ３０」、前記車が広告又は映画に出現する時間「０１：１２〜０６：２２」を前記電子装置１の作業システム又はプロダクトプレイスメントの画像ファイル又は動画ファイルに記憶する。
【００１９】
前記表示装置２が広告又は映画を表示する際、ステップＳ２において、前記表示モジュール１０８は、各々の検索対象の出現時間に基づいて、前記表示装置２のスクリーンに各々の検索対象のキーワードを表示する。例えば、検索対象が所在する広告又は映画の放送時間が前記検索対象の出現時間と同じであると、即ち０１：１２〜０６：２２の時間範囲になると、前記表示モジュール１０８は、前記表示装置２のスクリーンに前記車のキーワード「Ｖｏｌｖｏ  Ｃ３０」を表示する。
【００２０】
ステップＳ３において、前記受信モジュール１０４は、前記検索対象（即ち、商品のイメージである）又はそのキーワードが選択されたか否かを判断する。もし検索対象又はキーワードが選択されると、ステップＳ４に入り、もし検索対象又はキーワードが選択されないと、流れを終了する。
【００２１】
具体的に説明すると、前記観衆４が前記表示装置２に表示される広告又は映画の中の検索対象に興味を持っている場合、前記表示装置２に表示される検索対象又はそのキーワードをタッチするか又はクリックする際、前記受信モジュール１０４は、前記タッチ操作又は前記クリック操作を受信して、検索対象又はキーワードが選択される。例えば、前記観衆４が広告又は映画の中の車に興味を持っている場合、手又はタッチペンで前記表示装置２に表示される車のイメージ又はキーワード「Ｖｏｌｖｏ  Ｃ３０」をタッチすると、前記受信モジュール１０４は前記観衆４が前記車に対する選択操作を受信する。広告又は映画の中の商品のイメージをクリックすると検索対象を選択できることを実現するために、先ずパターンツール枠によって映画又は広告のイメージから検索対象を選択し、且つ前記検索対象に対してパターン範囲を設定する。
【００２２】
ステップＳ４において、前記検索モジュール１０６は、ブラウザーを起動して、選択された前記検索対象のキーワードを予め設定したサーチエンジンにロードして検索することにより、前記検索対象に関するあらゆるホームページ又はホームページのリンクアドレスを探す。例えば、前記検索モジュール１０６は、ネットワーク５から前記キーワード「Ｖｏｌｖｏ  Ｃ３０」に関するあらゆるホームページ又はホームページのリンクアドレスを検索する。
【００２３】
ステップＳ５において、前記表示モジュール１０８は、前記表示装置２に検索結果を表示する。例えば、前記表示モジュール１０８は、検索したあらゆるホームページ又はホームページのリンクアドレスを前記表示装置２に表示して、前記観衆４が閲覧するようにする。
【００２４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２５】
１  電子装置
２  表示装置
３  使用者
４  観衆
５  ネットワーク
１０  イメージ情報を捜すシステム
２０  ストレージシステム
３０  プロセッサー
１００  定義モジュール
１０２  記憶モジュール
１０４  受信モジュール
１０６  検索モジュール
１０８  表示モジュール
【図１】
2012038306.tif 000003
【図２】
2012038306.tif 000004
【図３】
2012038306.tif 000005